(57)【要約】【課題】形材の見付け寸法を小さくできるとともに、形材同士を小さな力で簡単に係合させることができる建築用形材の取付構造を提供すること。【解決手段】取付構造１０は、額縁形材３０と、ベース形材２０とによって構成される。額縁形材３０は、第一係合片部３２と、係合部３２３と、第一係合鉤部３２４と、受け部３２５とを有する。ベース形材２０は、第二係合片部２２と、第二係合爪部２２３と、第二係合鉤部２２４とを有する。第一係合爪部３２２は、第一係合鉤部３２４および受け部３２５よりも第一対向面３２１から離間した位置に配置される。第一掛り面３２４Ｃは、第一対向面３２１との間に形成される溝部３３の幅寸法が底部に向かって小さくなるように、第一対向面３２１に対して傾斜される。第二掛り面２２４Ｃは、第二対向面２２２との間に形成される溝部２３の幅寸法が底部に向かって小さくなるように、第二対向面２２２に対して傾斜される。【選択図】図３
2018025067.tif 000002
【特許請求の範囲】
【請求項１】
第一係合形材と、前記第一係合形材と係合する第二係合形材とによって構成され、
前記第一係合形材は、第一係合片部と、前記第一係合片部に形成されているとともに先端に第一係合爪部を有した係合部と、前記係合部よりも前記第一係合片部の先端縁側に形成された第一係合鉤部と、前記係合部および前記第一係合鉤部間に位置して前記第一係合片部に形成された受け部とを有し、
前記第二係合形材は、前記第一係合片部と対向して配置される第二係合片部と、前記第二係合片部に形成された第二係合爪部と、前記第二係合片部の前記第二係合爪部よりも基端縁側に形成された第二係合鉤部とを有し、
前記係合部、前記第一係合鉤部および前記受け部は、前記第一係合片部の前記第二係合片部に対向する第一対向面に形成され、
前記第一係合爪部は、前記第一係合鉤部および前記受け部よりも前記第一対向面から離間した位置に配置され、
前記第二係合鉤部は、前記第二係合片部の前記第一係合片部に対向する第二対向面に形成され、
前記第二係合爪部は、前記第二対向面とは反対側の面に形成され、
前記第一係合鉤部は、前記第一対向面に対向する第一掛り面を有し、
前記第二係合鉤部は、前記第二対向面に対向する第二掛り面を有し、
前記第一掛り面および前記第二掛り面のうちの少なくとも一方の掛り面は、前記第一対向面および前記第二対向面のうちの少なくとも一方の対向面との間に形成される溝部の幅寸法が当該溝部の底部に向かって小さくなるように、前記一方の対向面に対して傾斜され、
前記第一係合片部および前記第二係合片部の係合状態では、前記第一係合爪部および前記第二係合爪部は係合され、前記受け部は前記第二係合片部の第二対向面に当接され、かつ、前記第一係合鉤部および前記第二係合鉤部は係合される
ことを特徴とする建築用形材の取付構造。
【請求項２】
請求項１に記載の建築用形材の取付構造において、
前記第一係合形材および前記第二係合形材の係合状態で前記受け部よりも前記第二係合片部の先端縁側に位置する第一片部は、前記受け部よりも前記第二係合片部の先端縁が前記第一係合片部から離間して位置するように、前記受け部よりも前記第二係合片部の基端縁側の第二片部に対して傾斜して構成される
ことを特徴とする建築用形材の取付構造。
【請求項３】
請求項１または請求項２に記載の建築用形材の取付構造において、
前記第二係合爪部は、前記第一係合爪部に係合する係合面と、前記係合面および前記第二係合片部の先端縁に連続する傾斜面とを有し、
前記傾斜面は、前記係合面側よりも前記第二係合片部の先端縁側で前記第一係合片部に接近するように傾斜して構成される
ことを特徴とする建築用形材の取付構造。
【請求項４】
請求項１から請求項３のいずれか一項に記載の建築用形材の取付構造において、
前記第二係合片部には、前記第二対向面とは反対側の面から突出した突部が形成され、
前記突部は、前記第一係合形材および前記第二係合形材の係合状態で、前記第一係合爪部に対して間隔を隔てて位置する
ことを特徴とする建築用形材の取付構造。
【請求項５】
請求項１から請求項４のいずれか一項に記載の建築用形材の取付構造において、
前記第一係合形材は額縁形材であり、前記第二係合形材はベース形材であり、
前記ベース形材には、前記第二係合片部の基端縁に連続する結露受け片部と、前記結露受け片部に連続する取付片部とを有する
ことを特徴とする建築用形材の取付構造。
【発明の詳細な説明】
【技術分野】
【０００１】
本発明は、建築用の形材同士を係合して取り付ける建築用形材の取付構造に関する。
【背景技術】
【０００２】
従来、サッシの枠体の室内側に取り付けるサッシ用額材が知られている（特許文献１参照）。サッシ用額材は、サッシの枠体に取り付けられる形材である額部材を備えている。額部材は、その見込み方向に沿った内周板と、内周板に相対する外周板と、内周板と外周板の室内側間に連続する正面板とを備えている。
額部材の内周板には、額部材の見付け方向に延出した係合片部が形成されており、この係合片部は、前記見付け方向で対向する一対の係合爪部を有している。
サッシの枠体には、断面コ字形状であって両端に係合部を有する取付部材がネジ止めされており、額部材は、係合片部の一対の係合爪部が当該取付部材の係合部にスナップフィット式に係合する。これにより、額部材は、取付部材によってサッシの枠体に取り付けられる。
【先行技術文献】
【特許文献】
【０００３】
【特許文献１】特許第３４５４１９４号公報
【発明の概要】
【発明が解決しようとする課題】
【０００４】
ところで、特許文献１に記載のサッシ用額材では、額部材の見付け方向で対向する一対の係合爪部が取付部材の係合部に係合するため、一対の係合爪部間の見付け方向間隔に対応した見付け寸法が額部材に必要となり、形材である額部材の見付け寸法を小さくすることが困難である。
また、一対の係合爪部と取付部材の係合部とを係合させる際には、これらを係合ラップ代分だけ撓ませる必要があり、額部材を取付部材に小さな力で簡単に係合させることが困難である。
【０００５】
本発明の目的は、形材の見付け寸法を小さくできるとともに、形材同士を小さな力で簡単に係合させることができる建築用形材の取付構造を提供することにある。
【課題を解決するための手段】
【０００６】
本発明の建築用形材の取付構造は、第一係合形材と、前記第一係合形材と係合する第二係合形材とによって構成され、前記第一係合形材は、第一係合片部と、前記第一係合片部に形成されているとともに先端に第一係合爪部を有した係合部と、前記係合部よりも前記第一係合片部の先端縁側に形成された第一係合鉤部と、前記係合部および前記第一係合鉤部間に位置して前記第一係合片部に形成された受け部とを有し、前記第二係合形材は、前記第一係合片部と対向して配置される第二係合片部と、前記第二係合片部に形成された第二係合爪部と、前記第二係合片部の前記第二係合爪部よりも基端縁側に形成された第二係合鉤部とを有し、前記係合部、前記第一係合鉤部および前記受け部は、前記第一係合片部の前記第二係合片部に対向する第一対向面に形成され、前記第一係合爪部は、前記第一係合鉤部および前記受け部よりも前記第一対向面から離間した位置に配置され、前記第二係合鉤部は、前記第二係合片部の前記第一係合片部に対向する第二対向面に形成され、前記第二係合爪部は、前記第二対向面とは反対側の面に形成され、前記第一係合鉤部は、前記第一対向面に対向する第一掛り面を有し、前記第二係合鉤部は、前記第二対向面に対向する第二掛り面を有し、前記第一掛り面および前記第二掛り面のうちの少なくとも一方の掛り面は、前記第一対向面および前記第二対向面のうちの少なくとも一方の対向面との間に形成される溝部の幅寸法が当該溝部の底部に向かって小さくなるように、前記一方の対向面に対して傾斜され、前記第一係合片部および前記第二係合片部の係合状態では、前記第一係合爪部および前記第二係合爪部は係合され、前記受け部は前記第二係合片部の第二対向面に当接され、かつ、前記第一係合鉤部および前記第二係合鉤部は係合されることを特徴とする。
【０００７】
本発明の建築用形材の取付構造によれば、第一係合片部と第二係合片部とが対向して配置され、第一係合爪部および第二係合爪部が係合し、受け部が第二係合片部に当接し、かつ、第一係合鉤部および第二係合鉤部が係合するので、第一係合片部および第二係合片部を、例えば建築物の開口枠の見込み方向に沿って配置することによって第一係合形材および第二係合形材の見付け寸法を小さくできる。
また、第一係合形材と第二係合形材とを係合させる場合には、先ず、第一係合爪部を第二係合爪部に押し当てるとともに、第一係合鉤部の先端を第二係合鉤部に形成される溝部に挿入する。このとき、第二係合片部の第二対向面は受け部に当接し、当接した受け部の先端を支点として、第一係合片部の先端縁が第二係合片部から離間し、かつ、第一係合片部の基端縁が第二係合片部に接近する方向の回動力が、第一係合形材に加わる。
ここで、第一掛り面および第二掛り面のうちの少なくとも一方の掛り面が前記溝部の幅寸法が底部に向かって小さくなるように傾斜されて構成されるので、第一係合鉤部の先端が第二係合鉤部に形成される溝部に挿入された状態でも、第一掛り面と第二掛り面との間にクリアランスをとれる。このため、第一係合形材に前記回動力が加えられた場合に、第一係合形材に前記クリアランスに対応した回動を生じさせて第一係合片部を第二係合片部に対して傾かせることができ、第一係合爪部と第二係合爪部とのラップ代を小さくできる。これにより、第一係合形材を第二係合形材に係合させる際に第二係合片部に加わる曲げ力を軽減でき、第一係合形材と第二係合形材とを小さな力で簡単に係合させることができる。
さらに、第一係合爪部および第二係合爪部の係合状態では、第一係合鉤部は、第二係合鉤部側の溝部の奥まで挿入され、これとともに第二係合鉤部は、第一係合鉤部側の溝部の奥まで挿入される。ここで、各溝部の幅寸法は溝部開口から底部に向かって小さくなるように第一掛り面および第二掛り面は傾斜して構成されるので、第一掛り面および第二掛り面間のクリアランスをなくすことができる。これにより、第一係合形材および第二係合形材の係合状態におけるガタをなくすことができる。
【０００８】
本発明の建築用形材の取付構造では、前記第一係合形材および前記第二係合形材の係合状態で前記受け部よりも前記第二係合片部の先端縁側に位置する第一片部は、前記受け部よりも前記第二係合片部の先端縁が前記第一係合片部から離間して位置するように、前記受け部よりも前記第二係合片部の基端縁側の第二片部に対して傾斜して構成されることが好ましい。
このような構成によれば、第二係合片部の長手方向に沿って第一係合形材を第二係合形材に差し込んで係合する場合に、第一係合片部が第二係合片部に対する接近側に位置誤差があっても、第一係合片部の第一係合鉤部の外面を第二係合片部の第一片部に当接させつつ第二係合片部の長手方向に沿って第一係合形材を移動させることで、前記位置誤差を補正でき、第一係合形材および第二係合形材を係合させることができる。
【０００９】
本発明の建築用形材の取付構造では、前記第二係合爪部は、前記第一係合爪部に係合する係合面と、前記係合面および前記第二係合片部の先端縁に連続する傾斜面とを有し、前記傾斜面は、前記係合面側よりも前記第二係合片部の先端縁側で前記第一係合片部に接近するように傾斜して構成されることが好ましい。
このような構成によれば、第二係合片部の長手方向に沿って第一係合形材を第二係合形材に差し込んで係合する場合に、第一係合片部が第二係合片部に対する離間側に位置誤差があっても、第一係合爪部を第二係合爪部の傾斜面に当接させつつ第二係合片部の長手方向に沿って第一係合形材を移動させることで、前記位置誤差を補正でき、第一係合形材および第二係合形材を係合させることができる。
【００１０】
本発明の建築用形材の取付構造では、前記第二係合片部には、前記第二対向面とは反対側の面から突出した突部が形成され、前記突部は、前記第一係合形材および前記第二係合形材の係合状態で、前記第一係合爪部に対して間隔を隔てて位置することが好ましい。
このような構成によれば、第一係合形材および第二係合形材の係合状態で、取外し工具を第一係合爪部および突部間に配置し、この取外し工具によって突部を第一係合爪部から第一係合片部の長手方向に沿って離間する方向に力を加えることで第一係合形材および第二係合形材の係合を解除して取り外すことができる。
例えば、マイナスドライバーを取外し工具とした場合、第一係合爪部および突部間にマイナスドライバーを差し込み、回転することで突部を第一係合爪部から離間する方向に力を加えて、第一係合形材および第二係合形材の係合を解除して取り外すことができる。
【００１１】
本発明の建築用形材の取付構造では、前記第一係合形材は額縁形材であり、前記第二係合形材はベース形材であり、前記ベース形材には、前記第二係合片部の基端縁に連続する結露受け片部と、前記結露受け片部に連続する取付片部とを有することが好ましい。
このような構成によれば、建築物の開口枠などの室内側にベース形材の取付片部を取り付けることで、結露受けを後付けできる。
【発明の効果】
【００１２】
本発明によれば、形材の見付け寸法を小さくできるとともに、形材同士を小さな力で簡単に係合させることができる建築用形材の取付構造を提供できる。
【図面の簡単な説明】
【００１３】
【図１】本発明の実施形態に係る取付構造および開口枠を示す縦断面図。
【図２】前記実施形態に係る取付構造および開口枠を示す横断面図。
【図３】前記実施形態に係る取付構造の係合手順を示す説明図。
【図４】前記実施形態に係る取付構造の係合案内を示す説明図。
【図５】本発明の変形例に係る取付構造を示す説明図。
【発明を実施するための形態】
【００１４】
［本実施形態の構成］
以下、本発明の実施形態を図面に基づいて説明する。
図１，２において、本実施形態に係る建築用形材の取付構造１０（以下、取付構造１０と略称）は、本実施形態では建築物の開口枠２にビス止めされるものである。開口枠２は、上枠３、下枠４および左右の縦枠５を枠組みして構成されている。
【００１５】
取付構造１０は、第一係合形材としての額縁形材３０と、第二係合形材としてのベース形材２０とによって構成されている。額縁形材３０は、上枠３、下枠４および左右の縦枠５のそれぞれに対応して装着されて額縁を形成している。なお、下枠４に装着される額縁形材３０は膳板として構成される。
【００１６】
額縁形材３０は、図３に示すように、断面略コ字状に形成された第一形材本体３１と、第一形材本体３１に連続して形成された第一係合片部３２と、第一係合片部３２に形成されているとともに先端に第一係合爪部３２２を有した係合部３２３と、係合部３２３よりも第一係合片部３２の先端縁側に形成された第一係合鉤部３２４と、係合部３２３および第一係合鉤部３２４間に位置して第一係合片部３２に形成された受け部３２５とを有している。係合部３２３、第一係合鉤部３２４および受け部３２５は、第一係合片部３２の第二係合片部２２に対向する第一対向面３２１に形成されている。
【００１７】
係合部３２３は、第一係合片部３２の第一対向面３２１から延出した延出片部３２３Ａと、延出片部３２３Ａから第一係合片部３２の先端縁側に折曲された折曲片部３２３Ｂとを有して鉤状に形成されている。第一係合爪部３２２は、折曲片部３２３Ｂの先端から第一対向面３２１側に突出して形成されている。第一係合爪部３２２は、第一係合鉤部３２４および受け部３２５よりも第一対向面３２１から離間した位置に配置されている。
【００１８】
第一係合鉤部３２４は、第一係合片部３２の第一対向面３２１から延出した延出片部３２４Ａと、延出片部３２４Ａから第一係合片部３２の先端縁に向かって折曲された掛り片部３２４Ｂとを有しており、延出片部３２４Ａ、掛り片部３２４Ｂおよび第一係合片部３２の先端縁によって溝部３３を形成している。
掛り片部３２４Ｂのうち第一対向面３２１に対向して溝部３３を形成している掛り面３２４Ｃは、溝部３３の幅寸法が溝部開口から底部に向かって小さくなるように、第一対向面３２１に対して傾斜されている。このように掛り面３２４Ｃが傾斜しているので、掛り片部３２４Ｂは先細り形状となっている。
なお、第一係合鉤部３２４および受け部３２５の第一対向面３２１からの突出寸法は互いに等しい。
【００１９】
ベース形材２０は、図３に示すように、第二形材本体２１と、第二形材本体２１に連続して形成された第二係合片部２２と、第二係合片部２２に形成された第二係合爪部２２３と、第二係合爪部２２３よりも第二係合片部２２の基端側に形成された第二係合鉤部２２４と、第二係合爪部２２３に対して間隔を隔てて第二係合片部２２に形成された突部２２５とを有している。
【００２０】
第二形材本体２１は、本実施形態では開口枠２の見付け方向に沿った取付片部２１１によって構成されており、第二係合片部２２の基端縁に連続している。この取付片部２１１は、開口枠２の各室内見付け片部にネジ止めされる。
第二係合片部２２は、額縁形材３０およびベース形材２０の係合状態で第一係合片部３２に対向して配置される。
第二係合鉤部２２４は、第二係合片部２２の第一係合片部３２に対向する第二対向面２２２に形成されている。第二係合爪部２２３および突部２２５は、第二対向面２２２とは反対側の面２２１から突出して形成されている。
突部２２５は、ベース形材２０および額縁形材３０の係合状態で、第一係合爪部３２２に対して取外し工具としてのマイナスドライバー７（図３（Ｃ）参照）を配置可能な所定間隔を隔てて位置する。
【００２１】
ベース形材２０および額縁形材３０の係合状態で受け部３２５よりも第二係合片部２２の先端縁側の第一片部２２Ａは、受け部３２５よりも第二係合片部２２の先端縁が第一係合片部３２から離間して位置するように、受け部３２５よりも第二係合片部２２の基端縁側の第二片部２２Ｂに対して傾斜して構成されている。
【００２２】
第二係合爪部２２３は、第一係合爪部３２２に係合する係合面２２３Ａと、係合面２２３Ａおよび第二係合片部２２の先端縁に連続する傾斜面２２３Ｂとを有している。
係合面２２３Ａは、第一片部２２Ａにおける面２２１に対して鈍角をもって連続している。傾斜面２２３Ｂは、係合面２２３Ａ側よりも第二係合片部２２の先端縁側で第一係合片部３２に接近するように傾斜して構成されている。
【００２３】
第二係合鉤部２２４は、第二対向面２２２から延出した延出片部２２４Ａと、延出片部２２４Ａから第二係合片部２２の先端縁側に向かって折曲された掛り片部２２４Ｂとを有しており、延出片部２２４Ａ、掛り片部２２４Ｂおよび第二係合片部２２の基端縁によって溝部２３を形成している。掛り片部２２４Ｂのうち第二対向面２２２に対向して溝部２３を形成している掛り面２２４Ｃは、溝部２３の幅寸法が溝部開口から底部に向かって小さくなるように、第二対向面２２２に対して傾斜されている。このように掛り面２２４Ｃが傾斜しているので、掛り片部２２４Ｂは先細り形状となっている。
【００２４】
［本実施形態の取付手順］
以下、本実施形態に係る取付構造１０の取付手順について説明する。
先ず、各ベース形材２０の取付片部２１１を開口枠２の上枠３、下枠４および左右の縦枠５にそれぞれネジ止めする。
【００２５】
次に、額縁形材３０をベース形材２０に係合する。具体的には、先ず、図３（Ａ）に示すように、第一係合爪部３２２を第二係合爪部２２３の傾斜面２２３Ｂに当接し、受け部３２５を第二係合片部２２の第二対向面２２２に当接し、第一係合鉤部３２４を第二係合鉤部２２４に向かい合わせて配置する。続いて、額縁形材３０をベース形材２０に接近移動させる。このとき、掛り片部３２４Ｂの先端部分が溝部２３に挿入され、かつ掛り片部２２４Ｂの先端部分が溝部３３に挿入されても、掛り面２２４Ｃ，３２４Ｃは前述したように傾斜しているので当該掛り面２２４Ｃ，３２４Ｃ同士の間にはクリアランスがある。そして、第一係合爪部３２２は第二係合爪部２２３の傾斜面２２３Ｂに沿って移動するので、額縁形材３０は、図３（Ｂ）に示すように、受け部３２５の先端を支点として回動して傾く。この傾きによって第二係合爪部２２３は第一係合片部３２に接近し、第一係合鉤部３２４の掛り面３２４Ｃは第二係合鉤部２２４の掛り面２２４Ｃに当接する。この状態では、額縁形材３０はベース形材２０に対して傾いた状態となり、第一係合爪部３２２および第二係合爪部２２３のラップ代は、図３（Ａ）に示す状態のラップ代よりも小さくなる。
【００２６】
さらに、額縁形材３０をベース形材２０に向けて差し込むと、第一係合爪部３２２は傾斜面２２３Ｂに沿って移動し、第二係合爪部２２３の係合面２２３Ａにスナップフィット式に係合する。これとともに、第一係合鉤部３２４は溝部２３に奥まで挿入され、溝部３３には第二係合鉤部２２４が奥まで挿入され、かつ、掛り面２２４Ｃ，３２４Ｃ同士は当接して掛り合った状態となる。また、受け部３２５は第二対向面２２２に当接している。
このように、額縁形材３０はベース形材２０に係合して、図３（Ｃ）に示す係合状態となって取付構造１０を構成する。
【００２７】
［位置誤差補正］
以下、上枠３、下枠４および左右の縦枠５に対応した各額縁形材３０を組んだ状態で各ベース形材２０に係合する場合における位置誤差補正について説明する。
図４（Ａ）には、額縁形材３０およびベース形材２０との左右方向における位置誤差がない状態を示している。
図４（Ｂ）には、額縁形材３０の第一係合片部３２がベース形材２０の第二係合片部２２に対する接近側に位置誤差がある場合を示している。この場合には、第二係合片部２２の第一片部２２Ａが第一係合鉤部３２４の外面に当接し、当接したまま額縁形材３０をベース形材２０側に差し込むことで、前記位置誤差は補正され、額縁形材３０はベース形材２０に係合する。
図４（Ｃ）には、額縁形材３０の第一係合片部３２がベース形材２０の第二係合片部２２に対する離間側に位置誤差がある場合を示している。この場合には、第二係合片部２２の第二係合爪部２２３の傾斜面２２３Ｂを第一係合爪部３２２に当接し、当接したまま額縁形材３０をベース形材２０側に差し込むことで、前記位置誤差は補正され、額縁形材３０はベース形材２０に係合する。
【００２８】
［本実施形態の効果］
（１）本実施形態では、取付構造１０は、額縁形材３０と、前記額縁形材３０と係合するベース形材２０とによって構成され、前記額縁形材３０は、第一係合片部３２と、第一係合片部３２に形成されているとともに先端に第一係合爪部３２２を有した係合部３２３と、係合部３２３よりも第一係合片部３２の先端縁側に形成された第一係合鉤部３２４と、係合部３２３および第一係合鉤部３２４間に位置して第一係合片部３２に形成された受け部３２５とを有し、ベース形材２０は、第一係合片部３２と対向して配置される第二係合片部２２と、第二係合片部２２に形成された第二係合爪部２２３と、第二係合片部２２の前記第二係合爪部２２３よりも基端縁側に形成された第二係合鉤部２２４とを有し、係合部３２３、第一係合鉤部３２４および受け部３２５は、第一係合片部３２の第二係合片部２２に対向する第一対向面３２１に形成され、第一係合爪部３２２は、第一係合鉤部３２４および受け部３２５よりも第一対向面３２１から離間した位置に配置され、第二係合鉤部２２４は、第二係合片部２２の第一係合片部３２に対向する第二対向面２２２に形成され、第二係合爪部２２３は、第二対向面２２２とは反対側の面２２１に形成され、第一係合鉤部３２４は、第一対向面３２１に対向する第一掛り面３２４Ｃを有し、第二係合鉤部２２４は、第二対向面２２２に対向する第二掛り面２２４Ｃを有し、第一掛り面３２４Ｃは、第一対向面３２１との間に形成される溝部３３の幅寸法が当該溝部３３の底部に向かって小さくなるように、第一対向面３２１に対して傾斜され、第二掛り面２２４Ｃは、第二対向面との間に形成される溝部２３の幅寸法が底部に向かって小さくなるように、第二対向面２２２に対して傾斜され、第一係合片部３２および第二係合片部２２の係合状態では、第一係合爪部３２２および第二係合爪部２２３は係合され、受け部３２５は第二係合片部２２の第二対向面２２２に当接され、かつ、第一係合鉤部３２４および第二係合鉤部２２４は係合されることを特徴とする。
上記構成を有するため、第一係合片部３２と第二係合片部２２とが対向して配置され、第一係合爪部３２２および第二係合爪部２２３が係合し、受け部３２５が第二係合片部２２に当接し、かつ、第一係合鉤部３２４および第二係合鉤部２２４が係合するので、第一係合片部３２および第二係合片部２２を、開口枠２の見込み方向に沿って配置することによって額縁形材３０およびベース形材２０の見付け寸法を小さくできる。
また、額縁形材３０とベース形材２０とを係合させる場合には、先ず、第一係合爪部３２２を第二係合爪部２２３に押し当てるとともに、第一係合鉤部３２４の先端を第二係合鉤部２２４に形成される溝部２３に挿入する。このとき、第二係合片部２２の第二対向面２２２は受け部３２５に当接し、当接した受け部３２５の先端を支点として、第一係合片部３２の先端縁が第二係合片部２２から離間し、かつ、第一係合片部３２の基端縁が第二係合片部２２に接近する方向の回動力が、額縁形材３０に加わる。
ここで、第一掛り面３２４Ｃは、溝部３３の幅寸法が当該溝部３３の開口から底部に向かって小さくなるように、第一対向面３２１に対して傾斜されて構成されており、かつ、第二掛り面２２４Ｃは、溝部２３の幅寸法が当該溝部３３の開口から底部に向かって小さくなるように、第二対向面２２２に対して傾斜されて構成されているので、第一係合鉤部３２４の先端が第二係合鉤部２２４に形成される溝部２３に挿入された状態でも、第一掛り面３２４Ｃと第二掛り面２２４Ｃとの間にクリアランスをとれる。このため、額縁形材３０に前記回動力が加えられた場合に、額縁形材３０に前記クリアランスに対応した回動を生じさせて第一係合片部３２を第二係合片部２２に対して傾かせることができ、第一係合爪部３２２と第二係合爪部２２３とのラップ代を小さくできる。これにより、額縁形材３０をベース形材２０に係合させる際に第二係合片部に加わる曲げ力を軽減でき、額縁形材３０とベース形材２０とを小さな力で簡単に係合させることができる。
さらに、第一係合爪部３２２および第二係合爪部２２３の係合状態では、第一係合鉤部３２４は、第二係合鉤部２２４側の溝部２３の奥まで挿入され、これとともに第二係合鉤部２２４は、第一係合鉤部３２４側の溝部３３の奥まで挿入される。ここで、各溝部２３，３３の幅寸法は溝部開口から底部に向かって小さくなるように第一掛り面３２４Ｃおよび第二掛り面２２４Ｃは傾斜して構成されるので、第一掛り面３２４Ｃおよび第二掛り面２２４Ｃ間のクリアランスをなくすことができる。これにより、額縁形材３０およびベース形材２０の係合状態におけるガタをなくすことができる。
さらに、本実施形態では、以下の各効果を発揮できる。
（２）前記実施形態では、額縁形材３０およびベース形材２０の係合状態で受け部３２５よりも第二係合片部２２の先端縁側に位置する第一片部２２Ａは、受け部３２５よりも第二係合片部２２の先端縁が第一係合片部３２から離間して位置するように、受け部３２５よりも第二係合片部２２の基端縁側の第二片部２２Ｂに対して傾斜して構成される。
このため、第二係合片部２２の長手方向に沿って額縁形材３０をベース形材２０に差し込んで係合する場合に、第一係合片部３２が第二係合片部２２に対する接近側に位置誤差があっても、第一係合片部３２の第一係合鉤部３２４の外面を第二係合片部２２の第一片部２２Ａに当接させつつ第二係合片部２２の長手方向に沿って額縁形材３０を移動させることで、前記位置誤差を補正でき、額縁形材３０およびベース形材２０を係合させることができる。
（３）前記実施形態では、第二係合爪部２２３は、第一係合爪部３２２に係合する係合面２２３Ａと、係合面２２３Ａおよび第二係合片部２２の先端縁に連続する傾斜面２２３Ｂとを有し、傾斜面２２３Ｂは、係合面２２３Ａ側よりも第二係合片部２２の先端縁側で第一係合片部３２に接近するように傾斜して構成される。
このため、第二係合片部２２の長手方向に沿って額縁形材３０をベース形材２０に差し込んで係合する場合に、第一係合片部３２が第二係合片部２２に対する離間側に位置誤差があっても、第一係合爪部３２２を第二係合爪部２２３の傾斜面２２３Ｂに当接させつつ第二係合片部２２の長手方向に沿って額縁形材３０を移動させることで、前記位置誤差を補正でき、額縁形材３０およびベース形材２０を係合させることができる。
（４）前記実施形態では、第二係合片部２２には、第二対向面２２２とは反対側の面２２１から突出した突部２２５が形成され、突部２２５は、額縁形材３０およびベース形材２０の係合状態で、第一係合爪部３２２に対して間隔を隔てて位置する。
このため、額縁形材３０およびベース形材２０の係合状態で、取外し工具としてのマイナスドライバー７を第一係合爪部３２２および突部２２５間に配置し、マイナスドライバー７によって突部２２５を第一係合爪部３２２から第一係合片部３２の長手方向に沿って離間する方向に力を加えることで額縁形材３０およびベース形材２０の係合を解除して取り外すことができる。
【００２９】
［変形例］
本発明は、以上の実施形態で説明した構成のものに限定されず、本発明の目的を達成できる範囲での変形例は、本発明に含まれる。
例えば、前記実施形態では、第一係合鉤部３２４の掛り面３２４Ｃが第一対向面３２１に対して傾斜しているとともに、第二係合鉤部２２４の掛り面２２４Ｃが第二対向面２２２に対向しているが、これに限られず、掛り面３２４Ｃおよび掛り面２２４Ｃのいずれか一方だけが傾斜していてもよい。
【００３０】
前記実施形態では、第二係合片部２２の第一片部２２Ａは第二片部２２Ｂに対して傾斜しているが、これに限られず、第一片部２２Ａは第二片部２２Ｂに沿って平行に延びていてもよい。
【００３１】
前記実施形態では、第二係合片部２２に突部２２５が形成されているが、この構成を省略してもよい。
【００３２】
前記実施形態では、下枠４に取り付けられるベース形材２０は第二係合片部２２および取付片部２１１によって構成されているが、これに限られない。例えば図５に示すように、第二係合片部２２と、第二係合片部２２の基端縁に連続する結露受け片部２１２と、結露受け片部２１２に連続する取付片部２１１とによってベース形材２０Ａを構成してもよい。この場合には、ベース形材２０Ａに結露受け片部２１２を構成することで、開口枠２自体に結露受けが設けられていなくても、ベース形材２０Ａを開口枠２に取り付けることによって結露受けを後付けできる。
【００３３】
前記実施形態では、第一係合形材を額縁形材３０とし、第二係合形材をベース形材２０として説明したが、これに限られず、互いに係合する各種形材に対して取付構造１０を適用可能である。
【符号の説明】
【００３４】
１０…建築用形材の取付構造、２…開口枠、２０，２０Ａ…ベース形材（第二係合形材）、２１…第二形材本体、２１１…取付片部、２１２…結露受け片部、２２…第二係合片部、２２１…面、２２２…第二対向面、２２３…第二係合爪部、２２３Ａ…係合面、２２３Ｂ…傾斜面、２２４…第二係合鉤部、２２４Ａ，３２３Ａ，３２４Ａ…延出片部、２２４Ｂ，３２４Ｂ…掛り片部、２２４Ｃ，３２４Ｃ…掛り面、２２５…突部、２２Ａ…第一片部、２２Ｂ…第二片部、２３，３３…溝部、３…上枠、３０…額縁形材（第一係合形材）、３１…第一形材本体、３２…第一係合片部、３２１…第一対向面、３２２…第一係合爪部、３２３…係合部、３２３Ｂ…折曲片部、３２４…第一係合鉤部、３２５…受け部、４…下枠、５…縦枠、７…マイナスドライバー（取外し工具）。
【図１】
2018025067.tif 000003
【図２】
2018025067.tif 000004
【図３】
2018025067.tif 000005
【図４】
2018025067.tif 000006
【図５】
2018025067.tif 000007